(57)【要約】【課題】軽量でありながらトンネル形状の保持能力が高く、耐風性能を高めることができ、設置場所の状況に応じてトンネルの幅、高さ、長さの調整を容易に行うことができ、しかも、畑などの土壌面以外でも利用可能な家庭菜園用トンネルを提供すること。【解決手段】帯状材３と細径の線材４とが螺旋状に巻回されて一体化された伸縮可能な筒体が筒軸方向に切開されるとともに所定の長さに切断されて形成されたトンネル形状をした覆体２Ａ、２Ｂ、２Ｃを備え、線材４の巻回ピッチが狭幅に設定され、覆体２Ａ、２Ｂ、２Ｃの切開された両縁部が折り曲げられて脚部５が形成されている。【選択図】図１
0003162083.tif 000002
【実用新案登録請求の範囲】
【請求項１】
帯状材と細径の線材とが螺旋状に巻回されて一体化された伸縮可能な筒体が筒軸方向に切開されるとともに所定の長さに切断されて形成された１つ又は２つ以上のトンネル形状をした覆体を備え、
前記線材の巻回ピッチが狭幅に設定され、
前記覆体の前記切開された両縁部が折り曲げられて脚部が形成されていることを特徴とする家庭菜園用トンネル。
【請求項２】
前記線材が、線径０．５ｍｍ〜３ｍｍ程度の線材からなり、
前記線材の巻回ピッチが、１２ｍｍ〜１００ｍｍ程度の狭幅に設定されていることを特徴とする請求項１記載の家庭菜園用トンネル。
【請求項３】
前記帯状材が、ポリエチレンテレフタレート（ＰＥＴ）フィルム材からなることを特徴とする請求項１又は請求項２記載の家庭菜園用トンネル。
【請求項４】
前記覆体の前記線材部分が山部、前記線材間が谷部となるように癖付され、
２つ以上の前記覆体が前記筒軸方向に連設される場合に、隣合う前記覆体の端部同士の前記山部と前記谷部とが噛合うように一部重ね合わせることで連結可能に構成される一方、該重ね合わせ部分を離間することで開口部が形成可能に構成されていることを特徴とする請求項１〜３のいずれかの項に記載の家庭菜園用トンネル。
【請求項５】
前記脚部における筒軸方向両端部に、補強材が貼着されていることを特徴とする請求項１〜４のいずれかの項に記載の家庭菜園用トンネル。
【考案の詳細な説明】
【技術分野】
【０００１】
本考案は家庭菜園用トンネルに関し、より詳細には野菜や植物などの栽培環境を好適に保ち、成長促進等を補助するための家庭菜園用トンネルに関する。
【背景技術】
【０００２】
従来より、家庭菜園などでは、野菜や植物などの栽培環境を好適に保ち、成長促進等を補助するために、トンネルが広く利用されている。
従来のトンネルは、アーチ状の複数の支柱（棒材）が、畝に沿って７０ｃｍ〜１ｍ程度の広い間隔をあけて立設（すなわち、畝を跨いだ状態で各支柱の両端部分を地面に挿し込んで立設）され、これら支柱を内骨にして、その外側にビニール等の幅広のシート材が畝方向に被せられて、該シート材と支柱とが挟持具などで固定された構造となっている。また、前記シート材としては、農業用塩化ビニールシートや農業用ポリエチレンシートなどが使用されている。
【０００３】
上記した従来のトンネルは、簡単な構造ではあるものの、各支柱の立設作業や幅広シート材の被覆作業等、その施工に手間の掛かるものであった。しかも、トンネル内の換気等を行う場合には、作業者が、腰を深く折り曲げた状態、又は膝を折り曲げてしゃがんだ状態でシート材の裾部分をたくし上げ、そのたくし上げた裾部分を挟持具で支柱に固定するといった作業が必要であったため、作業負担も大きく、不便な点が多いという課題があった。
【０００４】
これらの課題を解決するものとして、下記の特許文献１には、図４に示した蛇腹式トンネルが開示されている。蛇腹式トンネル５０は、畝６０の両側に張設された敷レール５１と、敷レール５１に脚部が遊嵌されて摺動可能に立設されたアーチ形状をした複数の支柱５２と、これら各支柱５２に連結された被覆資材５３とを含んで構成され、一端側の支柱５２を除く他の支柱５２を敷レール５１に沿って畝方向に展開させたり（図４（ａ）参照）、畳めるように（図４（ｂ）参照）構成されている。
【０００５】
また、特許文献１には、被覆資材５３と支柱５２との連結構造として、支柱５２を挿通できるリング状の支柱連結部５３ａを被覆資材５３に予め形成しておく構成、及び支柱５２に対して被覆資材５３と同じ共布地で一部を挟んで接着して支柱連結部５３ａを形成しておく構成が記載されている。これらと同様な連結構造が、下記の特許文献２、３にも開示されている。
【０００６】
これら特許文献１〜３記載のトンネルによれば、上記した従来のトンネルと比べて、その設置に伴う労力をいくらか軽減することが可能であると考えられるが、いずれのトンネルも、畝に設置（展開）した状態での支柱の間隔は、従来のトンネルと同様、広く設定されている（少なくとも数十センチ以上はある）と認められ、支柱５２間の被覆資材５３が撓みやすく、またバタつきやすいため、トンネル形状の保持能力が十分ではなく、また、強風などに対する耐風性能が十分ではないという課題があった。
【０００７】
また、特許文献１記載のトンネルは、敷レール５１両端の固定部５１ａを地面に差し込んで固定される構造となっており、また、特許文献２、３記載のトンネルなどは、支柱の両端を、地面に差し込んで支柱を立設する構造となっており、畑など土壌面での使用が前提となっている。換言すると、特許文献１〜３記載のトンネルは、支柱等を差し込むことのできないコンクリートやアスファルト面等での使用、例えば、コンクリート面上に配置したプランターなどで栽培する野菜や植物に対する利用には向いておらず、利用場所が限定されるという課題があった。
【先行技術文献】
【特許文献】
【０００８】
【特許文献１】特開２００９−１３６２９３号公報
【特許文献２】特開２００３−１８９７４７号公報
【特許文献３】実用新案登録第３１５１２２７号公報
【考案の概要】
【課題を解決するための手段及びその効果】
【０００９】
本考案は上記課題に鑑みなされたものであって、軽量でありながらトンネル形状の保持能力が高く、強風などに対する耐風性能を高めることができ、設置場所の状況（例えば、畝の幅等）に応じてトンネルの幅、高さ、及び長さの調整を容易に行うことができ、また、畑などの土壌面以外でも利用することができ、設置後の換気や水やり等の作業も容易に行うことができる家庭菜園用トンネルを提供することを目的としている。
【００１０】
上記目的を達成するために本考案に係る家庭菜園用トンネル（１）は、帯状材と細径の線材とが螺旋状に巻回されて一体化された伸縮可能な筒体が筒軸方向に切開されるとともに所定の長さに切断されて形成された１つ又は２つ以上のトンネル形状をした覆体を備え、前記線材の巻回ピッチが狭幅に設定され、前記覆体の前記切開された両縁部が折り曲げられて脚部が形成されていることを特徴としている。
また、本考案に係る家庭菜園用トンネル（２）は、上記家庭菜園用トンネル（１）において、前記線材が、線径０．５ｍｍ〜３ｍｍ程度の線材からなり、前記線材の巻回ピッチが、１２ｍｍ〜１００ｍｍ程度の狭幅に設定されていることを特徴としている。
【００１１】
上記家庭菜園用トンネル（１）、（２）によれば、前記覆体の骨格として前記細径の線材が使用され、かつ、前記細径の線材の巻回ピッチが狭幅に設定されているので、軽量でありながらトンネル形状の保持能力が高く、強風などに対する耐風性能を高めることができる。また、前記覆体が柔軟性に富み、かつ伸縮可能なため、設置場所の状況（例えば、畝の幅や長さ、又は栽培作物の高さ等）に応じてトンネルの幅、高さ、及び長さの調整を容易に行うことができる。また、使用者が、必要に応じて前記覆体をさらに２つ以上に分割して使用することもでき、分割による長さ調整も可能である。
また、前記覆体の前記切開された両縁部が折り曲げられて脚部が形成されているので、該脚部により地面との接触面積を大きくとることができ、地面に置くだけで安定した起立状態を保つことができ、設置作業をスムーズに行うことができる。
【００１２】
また、畑等の土壌面に設置する場合には、前記脚部の上から止め金具を地中に挿し込むことで、前記覆体（の前記脚部）を地面に容易に固定することができ、さらに、前記脚部に土などを重しとして被せることもでき、より耐風性を高める対策を容易に採ることができる。
また、前記脚部に角棒などの重しを置いて使用すれば、土壌面以外、例えばコンクリート面などで鉢やプランターで栽培している作物に対しても使用することができ、使用場所が土壌面に限定されない利便性の高いものとすることができる。
【００１３】
また、本考案に係る家庭菜園用トンネル（３）は、上記家庭菜園用トンネル（１）又は（２）において、前記帯状材が、ポリエチレンテレフタレート（ＰＥＴ）フィルム材からなることを特徴としている。
【００１４】
上記家庭菜園用トンネル（３）によれば、前記帯状材が、ポリエチレンテレフタレート（ＰＥＴ）フィルム材からなるので、従来からよく使用されている農業用塩化ビニールシートや農業用ポリエチレンシートと比較して前記覆体の強度を高めることができ、耐久性や耐候性をより高めることができる。
【００１５】
また、本考案に係る家庭菜園用トンネル（４）は、上記家庭菜園用トンネル（１）〜（３）のいずれかにおいて、前記覆体の前記線材部分が山部、前記線材間が谷部となるように癖付され、２つ以上の前記覆体が前記筒軸方向に連設される場合に、隣合う前記覆体の端部同士の前記山部と前記谷部とが噛合うように一部重ね合わせることで連結可能に構成される一方、該重ね合わせ部分を離間することで開口部が形成可能に構成されていることを特徴としている。
【００１６】
上記家庭菜園用トンネル（４）によれば、２つ以上の前記覆体を連結する場合には、隣合う前記覆体の端部同士の前記山部と前記谷部とが噛合うように一部重ね合わせることで、挟持具などを使用することなく、しかも隙間を空けることなく容易に連結することができる。また、前記覆体は伸縮可能なため、前記重ね合わせ部分を容易に離間することができ、該離間する際に束ねた複数本の前記線材をトンネル頂部で挟持具などで挟んでおくだけで、換気や水やり等の作業に十分な大きさの開口部を連結部分に形成することができる。
【００１７】
また、本考案に係る家庭菜園用トンネル（５）は、上記家庭菜園用トンネル（１）〜（４）のいずれかにおいて、前記脚部における筒軸方向両端部に、補強材が貼着されていることを特徴としている。
【００１８】
上記家庭菜園用トンネル（５）によれば、前記脚部における筒軸方向両端部が前記補強材により補強される。したがって、前記補強材が貼着されている部分に、地面に固定するための止め金具等を挿し込むようにすれば、該止め金具の挿し込み等に伴う前記帯状材の破れ等を防止することができる。前記補強材としては、前記止め金具の挿し込み孔の広がりや、該挿し込み孔からの裂けを防止することができるものであればよく、例えば、布製テープ材などを使用することができる。また、前記補強材の色を、前記覆体とは異なる色とすることにより、前記補強材が、前記止め金具の挿し込み部分の目印となるとともに、前記覆体を筒軸方向に連設する際の重ね合わせ部分の目印にすることができる。
【図面の簡単な説明】
【００１９】
【図１】本考案の実施の形態に係る家庭菜園用トンネルの使用状態を概略的に示した斜視図である。
【図２】（ａ）〜（ｃ）は、実施の形態に係る家庭菜園用トンネルの成形方法を説明するための図である。
【図３】実施の形態に係る家庭菜園用トンネルの覆体連結部分を開口した状態を概略的に示した斜視図である。
【図４】従来の蛇腹式トンネルを模式的に示した斜視図であり、（ａ）は、トンネルを展開している場合の全体斜視図、（ｂ）はトンネルを畳み込んだ場合の全体斜視図である。
【考案を実施するための形態】
【００２０】
以下、本考案に係る家庭菜園用トンネルの実施の形態を図面に基づいて説明する。図１は、実施の形態に係る家庭菜園用トンネルの使用状態を概略的に示した斜視図である。図２（ａ）〜（ｃ）は、実施の形態に係る家庭菜園用トンネルの成形方法を説明するための図である。図３は、実施の形態に係る家庭菜園用トンネルの覆体連結部分を開口した状態を示した斜視図である。
【００２１】
図１、３に示した家庭菜園用トンネル１は、略トンネル形状をした３つの覆体２Ａ、２Ｂ、２Ｃが連結された状態となっている。
覆体２Ａ、２Ｂ、２Ｃは、所定幅の帯状材３と細径の線材４とが螺旋状に巻回されて一体化された伸縮可能な筒体２０（図２参照）が筒軸方向に切開されるとともに所定の長さ（１１０ｃｍ前後の長さ）毎に切断されて形成されたものであり、覆体２Ａ、２Ｂ、２Ｃの各線材４部分が山部、各線材４間が谷部となるように癖付されている。
【００２２】
また、筒体２０の切開された両縁部２０ａが幅５ｃｍ〜１０ｃｍ程度ほど谷折されて、覆体２Ａ、２Ｂ、２Ｃの脚部５が形成されており、覆体２Ａ、２Ｂ、２Ｃは、正面視略Ω形状となっている。
【００２３】
覆体２Ａ、２Ｂ、２Ｃは、隣合う覆体の端部同士の山部（線材４部分）と谷部（線材４間）とが噛合うように一部（５ｃｍ〜１５ｃｍ程度）重ね合わせることで連結可能となっている一方、図３に示したように、トンネル頂部の前記重ね合わせ部分を互いに離間して、その部分の線材４を複数本束ねて挟着具１１で挟むことで、連結部分に開口部１２が形成されるようになっている。
【００２４】
覆体２Ａ、２Ｂ、２Ｃの元である筒体２０（図２参照）は、直径Ｄが２０ｃｍ〜６０ｃｍ程度に形成されるものであり、例えば、空調設備や排気設備等において使用されるフレキシブルダクトを製造可能な装置（マンドレル、芯材供給機構、帯状材供給機構などを備えた装置）を利用して作製され得る。
例えば、所定幅（幅２０ｍｍ〜１２０ｍｍ程度）の帯状材３を、その両縁部が一部重なるように、マンドレル等（図示せず）に巻き付けていくと同時に、線材４をその重なり部分に挟み込まれるように供給するとともに、その重なり部分に対応する領域に接着剤等を供給して、帯状材３の重なり部分に線材４を挟み込んだ状態で接着すると、線材４と帯状体３とが一体化された筒体２０が得られる。なお、強度を高めるために、さらに帯状材３を螺旋状に重ねて巻き付けて接着したものを筒体２０とすることもでき、要は、線材４が帯状材３の重なり部分に挟み込まれた状態で接着又は溶着されて一体化されているものであればよい。
【００２５】
覆体２Ａ、２Ｂ、２Ｃの骨格となる線材４は、線径１ｍｍ程度の鋼線材で構成されている。なお、線材４の線径は、上記に限定されず、線径０．５ｍｍ〜３ｍｍ程度の細径の線材が採用され得る。さらに、取扱性（軽量化、柔軟性など）や材料コスト等を考慮すると、線径１ｍｍ〜１．５ｍｍの線材を使用することがより好ましい。材質としては、鋼線材が好適に採用され得るが、鋼線材と同様の保形性や柔軟性などの特性を有する線材であれば、材質は特に限定されず、例えば、樹脂線なども採用され得る。
【００２６】
また、線材４の巻回ピッチは、ここでは３２ｍｍ程度の狭幅に設定されている。なお、線材４の巻回ピッチは、上記に限定されず、１２ｍｍ〜１００ｍｍ程度の狭幅に設定することができる。さらに、保形性や耐風性等を考慮すると、２５ｍｍ〜５０ｍｍ程度の狭幅に設定することがより好ましい。なお、上記巻回ピッチとは、上述した筒体２０の形成時に、線材４を巻き付ける際のピッチ幅のことを示しており、覆体２Ａ、２Ｂ、２Ｃの線材４部分が山部、線材４間が谷部となるように（蛇腹状に）癖付されて縮んだ状態における線材４間の間隔を示すものではなく、伸ばした状態での線材４間の間隔に相当する。
【００２７】
また、覆体２Ａ、２Ｂ、２Ｃの被覆材となる帯状材３は、シート、フィルム、布、不織布、ネット等の素材で構成することができ、その材質には、ポリエチレン、ポリプロピレン、ポリ塩化ビニル、ナイロン、ポリエチレンテレフタレート（ＰＥＴ）、ポリエステル等の合成系、木綿等の天然系、又はアルミなどが使用目的等を考慮して適宜選択され得る。耐久性等を考慮した場合、ポリエチレンテレフタレート（ＰＥＴ）フィルム材を使用するのが好ましい。また、帯状材３の色は透明色に限らず、遮光、遮熱、保温効果などを考慮して着色（例えば、黒色等）が施されたものを使用することもできる。
【００２８】
また、覆体２Ａ、２Ｂ、２Ｃの脚部５における筒軸方向両端部には、それぞれ補強材６が貼着されている。補強材６が貼着された部分は、覆体２Ａ、２Ｂ、２Ｃを地面に固定するための止め金具（図示せず）を挿し込む部分となるとともに、覆体２Ａ、２Ｂ、２Ｃを筒軸方向に連設する際の重ね合わせ部分の目印となっている。補強材６としては、前記止め金具の挿し込み孔の広がりや、該挿し込み孔からの裂け等を防止することができるものであればよく、例えば、布製テープ材などを使用することができる。また、補強材６の色を、覆体２Ａ、２Ｂ、２Ｃとは異なる色とすることにより、上記目印としての効果を高めることが可能となっている。前記止め金具としては、線径３ｍｍ程度の鋼線材をＵ字形状やコの字形状に加工されたもの、さらに、土壌面に対する抜き差しが容易となるように、これら上部に指を引っ掛ける部分（例えば、凸形状部）が形成されたものなどを適宜使用することができる。
また、家庭菜園用トンネル１の両端にあたる覆体２Ａ、２Ｃの開口端側には、該開口端面を覆うためのビニールシートなどのシート材７が接着等により取り付けられている。
【００２９】
上記実施の形態に係る家庭菜園用トンネル１によれば、覆体２Ａ、２Ｂ、２Ｃの骨格として細径（約１ｍｍ）の線材４が使用され、かつ、細径の線材４の巻回ピッチが狭幅（３２ｍｍ程度）に設定されているので、軽量でありながらトンネル形状の保持能力が高く、強風などに対する耐風性能を高めることができる。また、覆体２Ａ、２Ｂ、２Ｃが柔軟性にも富むため、設置場所の状況（例えば、畝の幅、長さや栽培作物の大きさ等）に応じてトンネルの幅、高さ、及び長さの調整を容易に行うことができる。また、使用者が、１つの覆体を２つ以上に分割して使用することもでき、分割による長さ調整も容易に行うことができる。
【００３０】
また、覆体２Ａ、２Ｂ、２Ｃの切開された両縁部が折り曲げられて脚部５が形成されているので、地面との接触面積を大きくとることができ、地面に置くだけで安定した起立状態を保つことができ、設置作業をスムーズに行うことができる。
また、脚部５における筒軸方向両端部が補強材６により補強されているので、畑等の土壌面に設置する場合に、補強材６が貼着されている部分に止め金具を挿し込むようにすることで、止め金具による帯状材３の破れ等を防止することができ、また、覆体２Ａ、２Ｂ、２Ｃを地面にしっかりと固定することができる。また、脚部５部分に土などを重しとして被せることもでき、より耐風性を高める対策を容易に採ることができる。また、脚部５に角棒などの重しを置いて使用すれば、土壌面以外、例えばコンクリート面等で鉢やプランター等で栽培している栽培作物に対しても使用することができ、使用場所が土壌面に限定されない利便性の高いものとすることができる。
【００３１】
また、覆体２Ａ、２Ｂ、２Ｃを連結する場合に、隣合う覆体の端部同士の山部（線材部分）と谷部（線材間）とが噛合うように一部重ね合わせることで、挟持具などを使用することなく、しかも隙間を空けることなく容易に連結することができる。また、覆体２Ａ、２Ｂ、２Ｃは柔軟性に富み、伸縮可能なため、前記重ね合わせ部分を容易に離間することができ、離間する際に束ねた複数本の線材４をトンネル頂部で挟持具１１などで挟んでおくだけで、換気や水やり等の作業に十分な大きさの開口部１２を連結部分に形成することができる。
【００３２】
なお上記実施の形態では、家庭菜園用トンネル１が、３つの覆体２Ａ、２Ｂ、２Ｃから構成されている場合について説明したが、１つ又は２つ以上の覆体で構成することができる。例えば、より長い畝などに設置する場合には、設置場所の長さに応じて、覆体２Ａ、２Ｃの間に、複数個の覆体２Ｂを設置するようにすればよい。また、より短い畝などに設置する場合には、覆体２Ａと覆体２Ｃとの２つを連結したり、覆体２Ａの両側端面にシート材７を取り付けた覆体１つで構成することもできる。
【符号の説明】
【００３３】
１  家庭菜園用トンネル
２Ａ、２Ｂ、２Ｃ  覆体
３  帯状材
４  線材
５  脚部
６  補強材
７  シート材
【図１】
0003162083.tif 000003
【図２】
0003162083.tif 000004
【図３】
0003162083.tif 000005
【図４】
0003162083.tif 000006